(57)【要約】      （修正有）【課題】任意の複数の部位を保温したり、あるいは、冷温したりすることができる汎用性に優れた装着具を提供する。【解決手段】温熱手段または保冷手段が収容される装着具本体３の異なる部分に、複数のベルトを設ける。第１ベルト５Ａおよび前記第４ベルト６Ｂが位置する部分同士を結ぶ線と、第２ベルト６Ａおよび前記第３ベルト５Ｂが位置する部分同士を結ぶ線とが交差するように各ベルトを装着具本体３に配置し、第１ベルト５Ａおよび第４ベルト６Ｂに、一方の連結部７０、８０を設け、第２ベルト６Ａおよび第３ベルト５Ｂに、一方の連結部７０、８０に着脱自在に連結される他方の連結部７１、８１を設けている。【選択図】図１
0003187087.tif 000002
【実用新案登録請求の範囲】
【請求項１】
温熱手段または保冷手段が収容される装着具本体の異なる部分に、ベルトをそれぞれ設け、前記ベルト同士を連結手段により連結することにより、前記装着具本体を被装着部に装着するようにした装着具において、
前記連結手段は、一方の連結部と、前記一方の連結部と構造的に異なり前記一方の連結部に着脱自在に連結される他方の連結部とを備え、
前記装着具本体に、第１ベルト、第２ベルト、第３ベルトおよび第４ベルトを設けると共に、
前記第１ベルトおよび前記第４ベルトが位置する部分同士を結ぶ線と、前記第２ベルトおよび前記第３ベルトが位置する部分同士を結ぶ線とが交差するように前記各ベルトを前記装着具本体に配置し、
前記第１ベルトおよび前記第４ベルトに、前記一方の連結部を設け、前記第２ベルトおよび前記第３ベルトに、前記他方の連結部を設けていることを特徴とする装着具。
【請求項２】
請求項１に記載の装着具であって、
前記装着具本体を長方形状に形成し、前記第１ベルト、前記第２ベルト、前記第３ベルトおよび前記第４ベルトを、前記装着具本体の角部に設けていることを特徴とする装着具。
【請求項３】
請求項２に記載の装着具であって、
前記第１ベルトおよび前記第３ベルトを前記装着具本体の長手方向に沿って直線状に設け、前記第２ベルトおよび前記第４ベルトを前記装着具本体の長手方向に沿って直線状に設けていることを特徴とする装着具。
【請求項４】
請求項３に記載の装着具であって、
前記第１ベルトおよび前記第３ベルトと、前記第２ベルトおよび前記第４ベルトとは、それぞれ一連のベルトから構成していることを特徴とする装着具。
【請求項５】
請求項１から請求項４までの何れか１項に記載の装着具であって、
前記第２ベルトおよび前記第３ベルトに、長さ調整手段を設けていることを特徴とする装着具。
【請求項６】
温熱手段または保冷手段が収容される装着具本体の異なる部分に、第１ベルト、第２ベルト、第３ベルトおよび第４ベルトを設けると共に、
前記第１ベルトおよび前記第４ベルトが位置する部分同士を結ぶ線と、前記第２ベルトおよび前記第３ベルトが位置する部分同士を結ぶ線とが交差するように前記各ベルトを前記装着具本体に配置し、
前記第１ベルトおよび前記第２ベルトを連結し前記第３ベルトおよび前記第４ベルトを連結するベルト第１連結状態と、前記第１ベルトおよび前記第３ベルトを連結し前記第２ベルトおよび前記第４ベルトを連結するベルト第２連結状態とに選択できるように、前記第１ベルトおよび前記第４ベルトに、一方の連結部を設け、前記第２ベルトおよび前記第３ベルトに、前記一方の連結部に着脱自在に連結される他方の連結部を設けたことを特徴とする装着具。
【考案の詳細な説明】
【技術分野】
【０００１】
本考案は、例えば、肩、腰、背中等の体感温度を効果的に上げて、寒気から人体を保護したり、あるいは、体感温度を効果的に下げて、熱気から人体を保護したりするのに最適な装着具に関するものである。
【背景技術】
【０００２】
従来、人体の一部分を温める装着具として、保温用温熱材を出し入れ自在に収容する袋状の保温具本体と、保温具本体に取付けられたベルトとを備える背負い式保温具が公知である（例えば、特許文献１参照）。
【０００３】
そして、かかる背負い式保温具は、保温用温熱材入り袋状の保温具本体に付けられたベルトを、背中や肩にかけることにより、保温用温熱材入り保温具本体を背中上部に装着する。
【先行技術文献】
【特許文献】
【０００４】
【特許文献１】実用新案登録第３１３８１３６号公報
【考案の概要】
【考案が解決しようとする課題】
【０００５】
前記特許文献１に記載の背負い式保温具は、保温具本体の左右両側に、ベルトが上下方向に環状に形成されており、保温具本体が背中の特定部位に当接するように、ベルトを肩部に装着するものである。このように、特許文献１に記載の背負い式保温具は、特定部分を保護するものであるため、構造上、複数部位へ使用することができなかった。すなわち、人体の予め定めた部位のみを温めるものであり、その使用方法が一定であるため、温める部位が特定され、その部位以外の部位を温めることが困難で自由度が小さいという問題があった。
【０００６】
本考案は、任意の複数の部位を保温したり、あるいは、冷温したりすることができる汎用性に優れた装着具を提供することを課題とする。
【課題を解決するための手段】
【０００７】
本考案は、温熱手段または保冷手段が収容される装着具本体の異なる部分に、ベルトをそれぞれ設け、前記ベルト同士を連結手段により連結することにより、前記装着具本体を被装着部に装着するようにした装着具において、前記連結手段は、一方の連結部と、前記一方の連結部と構造的に異なり前記一方の連結部に着脱自在に連結される他方の連結部とを備え、前記装着具本体に、第１ベルト、第２ベルト、第３ベルトおよび第４ベルトを設けると共に、前記第１ベルトおよび前記第４ベルトが位置する部分同士を結ぶ線と、前記第２ベルトおよび前記第３ベルトが位置する部分同士を結ぶ線とが交差するように前記各ベルトを前記装着具本体に配置し、前記第１ベルトおよび前記第４ベルトに、前記一方の連結部を設け、前記第２ベルトおよび前記第３ベルトに、前記他方の連結部を設けていることを特徴とする。
【０００８】
前記装着具は、前記第１ベルトおよび前記第２ベルトを連結し前記第３ベルトおよび前記第４ベルトを連結する連結状態と、前記第１ベルトおよび第３ベルトを連結し前記第２ベルトおよび前記第４ベルトを連結する連結状態とに選択できるようになるため、例えば、被装着部として人体の所望する部位に装着することができ、単体の装着具により、任意の所望する部位を保温または保冷することが可能となり、自由度が大となる。
【０００９】
前記装着具であって、前記装着具本体を長方形状に形成し、前記第１ベルト、前記第２ベルト、前記第３ベルトおよび前記第４ベルトを、前記装着具本体の角部に設けていることにある。
【００１０】
前記装着具であって、前記第１ベルトおよび前記第３ベルトを前記装着具本体の長手方向に沿って直線状に設け、前記第２ベルトおよび前記第４ベルトを前記装着具本体の長手方向に沿って直線状に設けていることにある。
【００１１】
前記装着具であって、前記第１ベルトおよび前記第３ベルトと、前記第２ベルトおよび前記第４ベルトとを、それぞれ一連のベルトから構成している。
【００１２】
前記装着具であって、前記第２ベルトおよび前記第３ベルトに、長さ調整手段を設けていることにある。
【００１３】
本考案は、温熱手段または保冷手段が収容される装着具本体の異なる部分に、第１ベルト、第２ベルト、第３ベルトおよび第４ベルトを設けると共に、前記第１ベルトおよび前記第４ベルトが位置する部分同士を結ぶ線と、前記第２ベルトおよび前記第３ベルトが位置する部分同士を結ぶ線とが交差するように前記各ベルトを前記装着具本体に配置し、前記第１ベルトおよび前記第２ベルトを連結し前記第３ベルトおよび前記第４ベルトを連結するベルト第１連結状態と、前記第１ベルトおよび前記第３ベルトを連結し前記第２ベルトおよび前記第４ベルトを連結するベルト第２連結状態とに選択できるように、前記第１ベルトおよび前記第４ベルトに、一方の連結部を設け、前記第２ベルトおよび前記第３ベルトに、前記一方の連結部に着脱自在に連結される他方の連結部を設けたことを特徴とする。
【００１４】
前記装着具は、ベルトがベルト第１連結状態と、ベルト第２連結状態とに選択可能であるため、人体の所望する部位に装着することができ、単体の装着具により、任意の所望する部位を保温または保冷することが可能となり、自由度が大となる。
【考案の効果】
【００１５】
本考案は、単体の装着具により、任意の所望する複数の部位を保温または保冷することが可能となり、汎用性に優れている。
【図面の簡単な説明】
【００１６】
【図１】本考案の実施形態に係る装着具の内面側を示す平面図である。
【図２】図１に示すＸ−Ｘ線断面図である。
【図３】装着具に電源コード付ヒータを収容する直前を示す分解斜視図である。
【図４】装着具に電源コード付ヒータを収容した状態を示す斜視図である。
【図５】装着具の使用例を示し、ベルト第１連結状態を示す斜視図である。
【図６】装着具の使用例を示し、ベルト第２連結状態を示す斜視図である。
【図７】装着具で背中を保温する場合の使用例を示し、（ａ）は背面図、（ｂ）は正面図である。
【図８】装着具で肩を保温する場合の使用例を示し、（ａ）は背面図、（ｂ）は正面図である。
【図９】装着具で背中を保温する場合の使用例を示し、（ａ）は背面図、（ｂ）は正面図である。
【図１０】装着具で腰部を保温する使用例を示し、（ａ）は背面図、（ｂ）は正面図である。
【図１１】本考案の他の実施形態に係る装着具の内面側を示す平面図である。
【考案を実施するための形態】
【００１７】
以下、本考案の一実施形態について図面を参照しながら説明する。図１〜図１０は、本考案の一実施形態を示す。
【００１８】
図１は本考案の実施形態に装着具の内面側を示す平面図、図２は図１に示すＸ−Ｘ線断面図、図３は装着具に電源コード付ヒータを収容する直前を示す分解斜視図、図４は装着具に電源コード付ヒータを収容した状態を示す斜視図である。
【００１９】
装着具１は、温熱手段２または保冷手段が収容される装着具本体３と、装着具本体３に取付けられるベルト５、６とを備えている。
【００２０】
温熱手段２としては、電源コード付ヒータを採用することができる。電源コード付ヒータ２は、平面ヒータ２０に、パーソナルコンピュータ等の外部装置に接続されるＵＳＢ（Universal Serial Bus）規格のコード２２を備えるものを挙げることができる。平面ヒータ２０は、平面フィルム状で可撓性を有しており、例えば、表面温度が略５０℃になるように設定されている。
【００２１】
装着具本体３は、人体の任意の部位に沿うように、可撓性を有するシート（薄い生地）３０、３１から形成されている。装着具本体３は、平面視において長方形状を呈しており、長手方向に沿う両側部（長辺側）には、扁平筒状のベルト挿通部３２、３３が装着具本体長手方向全長にわたって平行に設けられている。ベルト挿通部３２、３３間には、電源コード付ヒータ２を収容する袋状に形成された収容部３５が設けられている。
【００２２】
収容部３５の一端３５ａには、図３および図４に示すように、収容部３５内に電源コード付ヒータ２を出し入れするための出入開口３５ａ１が形成されている。出入開口３５ａ１は、例えば、面ファスナー３６ａ、３６ｂにより、開閉自在になっている。装着具本体３長手方向の他端３５bには、電源コード付ヒータ２のコード２２が外部に出される逃がし開口（図示省略）が形成されている。
【００２３】
ベルト５、６は、各ベルト挿通部３２、３３にそれぞれ摺動自在に挿通されており、各ベルト５、６の両端は、連結手段としてのバックル７、８により、着脱自在に連結可能になっている。
【００２４】
バックル７、８は、一方の連結部としてのバックル本体７０、８０と、バックル本体７０、８０と構造的に異なりバックル本体７０、８０に着脱自在に連結される他方の連結部としての差込体７１、８１とから構成されている。バックル本体７０、８０は、扁平な筒状体として構成され、一端に差込口７０ａ、８０ａが設けられ、バックル本体７０、８０の両側には、係止開口７０ｂ、８０ｂが形成されている。
【００２５】
差込体７１、８１は、バックル本体７０、８０内部に差込口７０ａ、８０ａから差し込まれる一対の操作部７１ａ、８１ａを有している。そして、操作部７１ａ、８１ａが係止開口７０ｂ、８０ｂに内側から弾性力により係合することにより、バックル本体７０、８０と差込体７１、８１とを着脱自在に連結することができる。
【００２６】
本実施形態は、ベルト５とベルト６とは、バックル本体７０、８０と差込体７１、８１との位置が反対（対角線上）に設けられている。すなわち、ベルト５は、図１に示す平面視において、装着具本体３の一方（図に示す右側）にバックル本体７０が連結され、装着具本体３の他方（図に示す左側）に差込体７１が連結されている。ベルト６は、一方に差込体８１が連結され、他方にバックル本体８０が連結されている。
【００２７】
具体的には、装着具本体３の一方に第１ベルト（ベルト５の右側部分）５Ａと第２ベルト（ベルト６の右側部分）６Ａが設けられている。装着具本体３の他方に第３ベルト（ベルト５の左側部分）５Ｂと第４ベルト（ベルト６の左側部分）６Ｂが設けられている。第１ベルト５Ａおよび前記第３ベルト５Ｂは、装着具本体３の長手方向に沿って直線状に設けられ、第２ベルト６Ａおよび第４ベルト６Ｂは、装着具本体３の長手方向に沿って直線状に設けられている。
【００２８】
第１ベルト５Ａ、第２ベルト６Ａ、第３ベルト５Ｂおよび第４ベルト６Ｂは、装着具本体３の異なる部分に設けられている。本実施形態の装着具１は、第１ベルト５Ａおよび第４ベルト６Ｂが位置する部分同士を結ぶ線と、第２ベルト６Ａおよび前記第３ベルト５Ｂが位置する部分同士を結ぶ線とが交差するように各ベルト５Ａ、５Ｂ、６Ａ、６Ｂを装着具本体３に配置している。また、第１ベルト５Ａおよび前記第３ベルト５Ｂと、前記第２ベルト６Ａおよび前記第４ベルト６Ｂとは、それぞれ一連（単体）のベルト５，６から構成されている。
【００２９】
そして、第１ベルト５Ａには、バックル本体７０が設けられ、第２ベルト６Ａには、差込体８１が設けられている。また、第３ベルト５Ｂには、差込体７１が設けられ、第４ベルト６Ｂには、バックル本体８０が設けられている。
【００３０】
以上の構成を有する装着具１は、第１ベルト５Ａのバックル本体７０と、第２ベルト６Ａの差込体８１とを連結するこができる。また、第３ベルト５Ｂの差込体７１と、第４ベルト６Ｂのバックル本体８０とを連結することができる。かかるベルト第１連結状態Ａを図５に示す。
【００３１】
さらに、装着具１は、第１ベルト５Ａのバックル本体７０と、第３ベルト５Ｂの差込体７１とを連結することができる。また、第２ベルト６Ａの差込体８１と、第４ベルト６Ｂのバックル本体８０とを連結することができる。かかるベルト第２連結状態Ｂを図６に示す。なお、第２ベルト６Ａおよび第３ベルト５Ｂには、ベルト長さを調整するための調整用バックル４０が設けられている。
【００３２】
以上のように、本実施形態の装着具１は、第１ベルト５Ａおよび第２ベルト６Ａを連結し、第３ベルト５Ｂおよび第４ベルト６Ｂを連結するベルト第１連結状態Ａと、第１ベルト５Ａおよび第３ベルト５Ｂを連結し、第２ベルト６Ａおよび第４ベルト６Ｂを連結するベルト第２連結状態Ｂとに選択可能に構成されている。
【００３３】
本実施形態の装着具１は、以上のような構成を備えている。次に、その装着具１を使用する場合について説明する。
【００３４】
図７は装着具１で背中を保温する場合の使用例を示し、（ａ）は背面図、（ｂ）は正面図である。
【００３５】
まず、図３および図４に示すように、装着具本体３の収容部３５に、電源コード付ヒータの平面ヒータ２０を収容する。かかる場合は、図５に示すベルト第１連結状態Ａを採用する。すなわち、第１ベルト５Ａのバックル本体７０と、第２ベルト６Ａの差込体８１とを連結する。これにより、装着具本体３の一方には、第１ベルト５Ａと第２ベルト６Ａとによる上下方向の環状ベルトが形成される。また、第３ベルト５Ｂの差込体７１と、第４ベルト６Ｂのバックル本体８０とを連結する。これにより、装着具本体３の他方には、第３ベルト５Ｂと第４ベルト６Ｂによる環状ベルトが形成される。なお、ベルトの長さ調整は、調整用バックル４０により適宜行うことができる。
【００３６】
両方の環状ベルトを介して背負うことにより、装着具本体３が左右方向に長い横配置となり、背中部分を左右方向に覆い、保温することができる。
【００３７】
図８は、装着具１で両肩部分にわたって保温する場合の使用例を示し、（ａ）は背面図、（ｂ）は正面図である。かかる場合は、図６に示すベルト第２連結状態Ｂを採用する。すなわち、第１ベルト５Ａのバックル本体７０と、第３ベルト５Ｂの差込体７１とを連結する。このように、第１ベルト５Ａと第３ベルト５Ｂとを連結することにより、装着具本体３の長手方向を水平にし、水平方向に環状となった第１ベルト５Ａと第３ベルト５Ｂを肩部分に掛ける。
【００３８】
さらに、第２ベルト６Ａの差込体８１と、第４ベルト６Ｂのバックル本体８０とを連結する。第２ベルト６Ａおよび第４ベルト６Ｂは、胸周りに巻回する。これにより、両肩付近の肩部を覆い、保温することができる。
【００３９】
図９は、装着具１で背中を保温する場合の使用例を示し、（ａ）は背面図、（ｂ）は正面図である。かかる場合は、図６に示すベルト第２連結状態Ｂを採用する。装着具本体３は、上下方向に長くなる縦配置に背負うため、背中部分を上下方向に覆う。このとき、装着具１は、背中の上下方向に沿って覆うため、背中を略全体にわたって保温することができる。
【００４０】
図１０は、装着具１で腰部を保温する場合の使用例を示し、（ａ）は背面図、（ｂ）は正面図である。かかる場合は、図６に示すベルト第２連結状態Ｂを採用する。これにより、装着具本体３により腰部分を覆い、保温することができる。また、装着具本体３を腹部に配して、腹部を保温することも可能である。
【００４１】
以上のように、本実施形態の装着具１は、ベルト第１連結状態Ａと、ベルト第２連結状態Ｂとに選択可能であるため、単体の装着具１により、任意の所望する部位を保温することができ、自由度が大となり、汎用性に優れている。また、本実施形態は、温熱手段としてシート状の薄い電源コード付ヒータ２を採用していることから、嵩張ることがなく、上着等の衣服の下への装着に適している。
【００４２】
また、温熱手段として、ＵＳＢ規格に対応したコード２２を有するヒータ２を採用する場合には、パーソナルコンピュータを使用しながら、装着具１を使用することが可能となる。
【００４３】
さらに、第１ベルト５Ａおよび前記第３ベルト５Ｂと、前記第２ベルト６Ａおよび前記第４ベルト６Ｂとは、それぞれ一連のベルトから構成しているので、ベルトの部品点数を少なくすることも可能である。
【００４４】
図１１は、本考案の他の実施形態を示す。図１１において、図１と同一部材は、同一符号を付してそれぞれの説明を省略する。本実施の形態は、装着具本体３の四隅部に、リング１０を設け、リング１０に第１ベルト５Ａ、第２ベルト６Ａ、第３ベルト５Ｂおよび第４ベルト６Ｂをそれぞれ連結している。このように、第１ベルト５Ａ、第２ベルト６Ａ、第３ベルト５Ｂおよび第４ベルト６Ｂを、リング１０に連結することにより、各ベルトを装着具本体３に対して容易に角度変更が可能となる。
【００４５】
また、第１ベルト５Ａ、第２ベルト６Ａ、第３ベルト５Ｂおよび第４ベルト６Ｂは、図１１に仮想線で示すように、装着具本体３の四隅部にリング１０ａを設けて、リング１０ａに連結することも可能である。
【００４６】
本考案は、前記実施形態に限定されるものではない。例えば、温熱手段２として電源コード付ヒータを使用する場合について例示したが、蓄熱手段であってもよい。また、温熱手段２以外に、保冷材を使用することも可能である。このように、温熱手段または保冷手段を適宜採用することにより、ビジネスやスポーツ観戦、ゴルフ等の娯楽の場面に適宜使用するこができる。
【００４７】
また、装着具本体３は、長方形状のものを例示したが、四角形以上の多角形状や楕円形状等の任意の形状であってもよい。四角形以上の多角形状を採用する場合には、各角部にそれぞれベルトを設けることも可能であり、ベルトは５本以上設けることも可能である。
【００４８】
連結手段としてバックル７、８を例示したが、連結手段は、一方の連結部に凹部を設け、他方の連結部に凸部を設け、両方の連結部を凹凸嵌合させる構造のものであってもよく、一方の連結部と、一方の連結部と構造的に異なり一方の連結部に着脱自在に連結される他方の連結部とを備えたものであればよい。なお、一方の連結部と構造的に異なるとは、一方の連結部と他方の連結部とは互いに連結するが、一方の連結部同士や他方の連結部同士は連結することができないようになっている構造の相違をいう。
【００４９】
また、装着具１は、人体以外に犬や猫等のペットに使用することも可能である。
【符号の説明】
【００５０】
１          装着具
２          電源コード付ヒータ（温熱手段）
３          装着具本体
５          ベルト
６          ベルト
５Ａ        第１ベルト
５Ｂ        第３ベルト
６Ａ        第２ベルト
６Ｂ        第４ベルト
７          バックル（連結手段）
８          バックル（連結手段）
２０        平面ヒータ
３５        収容部
３６ａ      面ファスナー
３６ｂ      面ファスナー
７０        バックル本体（一方の連結部）
７０ａ      差込口
７０ｂ      係止開口
７１        差込体（他方の連結部）
７１ａ      操作部
８０        バックル本体（一方の連結部）
８０ａ      差込口
８０ｂ      係止開口
８１        差込体（他方の連結部）
８１ａ      操作部
Ａ          ベルト第１連結状態
Ｂ          ベルト第２連結状態
【図１】
0003187087.tif 000003
【図２】
0003187087.tif 000004
【図３】
0003187087.tif 000005
【図４】
0003187087.tif 000006
【図５】
0003187087.tif 000007
【図６】
0003187087.tif 000008
【図７】
0003187087.tif 000009
【図８】
0003187087.tif 000010
【図９】
0003187087.tif 000011
【図１０】
0003187087.tif 000012
【図１１】
0003187087.tif 000013